(57)【要約】【課題】床側に固定し難いような場合にも、強固かつ安定的に固定可能で、かつ固定する際における作業性を向上し得る下端ガイド装置を提供する。【解決手段】戸幅方向に沿ってスライド自在に吊り下げ支持され、下端部に下向きに開口するガイド溝３４を戸幅方向に沿って設けた引戸３０の下端側をガイドする下端ガイド装置１であって、前記引戸が納められる壁６の出入開口７側に設けられた縦枠部材２３の見込み方向引戸対面側端部の下端部に固定される固定部１３と、前記引戸のガイド溝に挿入されるガイド部１１と、を備えており、前記固定部は、前記縦枠部材側に向けて開口するように形成され、該縦枠部材の引戸対面側端部に嵌め合わされる嵌合部１５と、該嵌合部の下端から反縦枠部材側に向けて突出するように形成され、前記ガイド部を支持する支持部１４と、を備えている。【選択図】図１
2014077240.tif 000002
【特許請求の範囲】
【請求項１】
戸幅方向に沿ってスライド自在に吊り下げ支持され、下端部に下向きに開口するガイド溝を戸幅方向に沿って設けた引戸の下端側をガイドする下端ガイド装置であって、
前記引戸が納められる壁の出入開口側に設けられた縦枠部材の見込み方向引戸対面側端部の下端部に固定される固定部と、前記引戸のガイド溝に挿入されるガイド部と、を備えており、
前記固定部は、前記縦枠部材側に向けて開口するように形成され、該縦枠部材の引戸対面側端部に嵌め合わされる嵌合部と、該嵌合部の下端から反縦枠部材側に向けて突出するように形成され、前記ガイド部を支持する支持部と、を備えていることを特徴とする下端ガイド装置。
【請求項２】
請求項１において、
前記縦枠部材の見込み方向引戸対面側端面に沿うように配設される前記嵌合部の端面部には、前記縦枠部材の引戸対面側端面から突出するように設けられる隙間遮蔽部材を受け入れる縦溝状開口が設けられていることを特徴とする下端ガイド装置。
【請求項３】
請求項１または２において、
前記縦枠部材の戸幅方向両側面に沿うようにそれぞれ配設される前記嵌合部の両側面部のうちの出入開口側の側面部が壁側の側面部よりも見込み方向に沿って幅広に形成されており、この出入開口側の側面部に止具孔が設けられていることを特徴とする下端ガイド装置。
【請求項４】
請求項１乃至３のいずれか１項において、
前記支持部は、その厚さ方向に雌ねじ部を設けた略水平板状とされており、
前記ガイド部は、該支持部の雌ねじ部に応じたねじ挿通孔が設けられ、該支持部上に載置されて固定される平板状部を下端に設けた構造とされていることを特徴とする下端ガイド装置。
【請求項５】
請求項４において、
前記平板状部のねじ挿通孔は、見込み方向に沿って長径とされていることを特徴とする下端ガイド装置。
【発明の詳細な説明】
【技術分野】
【０００１】
本発明は、引戸の下端側をガイドする下端ガイド装置に関する。
【背景技術】
【０００２】
従来より、戸幅方向に沿ってスライド自在に吊り下げ支持され、下端部に下向きに開口するガイド溝を戸幅方向に沿って設けた引戸の下端側をガイドするガイド部材が知られている。このようなガイド部材は、従来、一般的には、床に固定される構造とされていた。しかしながら、このようなガイド部材を、コンクリート仕上げやタイル仕上げ、カーペット仕上げとされた床や、コンクリート下地上に薄床材を貼着したような床等に固定する場合には、ねじや釘等の止具によって強固かつ安定的に固定し難くなることが考えられる。
例えば、下記特許文献１には、ドアの下端に凹設されたガイド用凹溝条に係合する振れ止めガイド部品が開示されている。このガイド部品は、垂直板部と水平板部とで側面略Ｌ字形状とされた固定部材の水平板部上に、ドアのガイド用凹溝条に係合するガイド部片を設けた構成とされている。また、その固定部材が中間方立と床面とのコーナー部に突き合わせ状態で固定される構成とされている。
【先行技術文献】
【特許文献】
【０００３】
【特許文献１】実開平５−８３２６２号公報
【発明の概要】
【発明が解決しようとする課題】
【０００４】
しかしながら、上記特許文献１に記載のガイド部品では、固定部材を固定する際に、中間方立に対する固定部材の垂直板部の位置決めが面倒な作業となることが考えられ、更なる改善が望まれていた。
【０００５】
本発明は、上記実情に鑑みてなされたものであり、床側に固定し難いような場合にも、強固かつ安定的に固定可能で、かつ固定する際における作業性を向上し得る下端ガイド装置を提供することを目的としている。
【課題を解決するための手段】
【０００６】
上記目的を達成するために、本発明に係る下端ガイド装置は、戸幅方向に沿ってスライド自在に吊り下げ支持され、下端部に下向きに開口するガイド溝を戸幅方向に沿って設けた引戸の下端側をガイドする下端ガイド装置であって、前記引戸が納められる壁の出入開口側に設けられた縦枠部材の見込み方向引戸対面側端部の下端部に固定される固定部と、前記引戸のガイド溝に挿入されるガイド部と、を備えており、前記固定部は、前記縦枠部材側に向けて開口するように形成され、該縦枠部材の引戸対面側端部に嵌め合わされる嵌合部と、該嵌合部の下端から反縦枠部材側に向けて突出するように形成され、前記ガイド部を支持する支持部と、を備えていることを特徴とする。
【０００７】
本発明においては、前記縦枠部材の見込み方向引戸対面側端面に沿うように配設される前記嵌合部の端面部に、前記縦枠部材の引戸対面側端面から突出するように設けられる隙間遮蔽部材を受け入れる縦溝状開口を設けてもよい。
また、本発明においては、前記縦枠部材の戸幅方向両側面に沿うようにそれぞれ配設される前記嵌合部の両側面部のうちの出入開口側の側面部を、壁側の側面部よりも見込み方向に沿って幅広に形成し、この出入開口側の側面部に止具孔を設けてもよい。
また、本発明においては、前記支持部を、その厚さ方向に雌ねじ部を設けた略水平板状とし、前記ガイド部を、該支持部の雌ねじ部に応じたねじ挿通孔が設けられ、該支持部上に載置されて固定される平板状部を下端に設けた構造としてもよい。
また、本発明においては、前記平板状部のねじ挿通孔を、見込み方向に沿って長径としてもよい。
【発明の効果】
【０００８】
本発明に係る下端ガイド装置は、上述のような構成としたことで、床側に固定し難いような場合にも、強固かつ安定的に固定可能で、かつ固定する際における作業性を向上させることができる。
【図面の簡単な説明】
【０００９】
【図１】（ａ）、（ｂ）は、いずれも本発明の一実施形態に係る下端ガイド装置及び下端ガイド固定構造の一例を模式的に示し、（ａ）は、図３（ａ）におけるＸ−Ｘ線矢視に対応させた一部破断概略縦断面図、（ｂ）は、図３（ａ）におけるＹ１−Ｙ１線矢視に対応させた一部破断概略横断面図である。
【図２】同下端ガイド装置及び同下端ガイド固定構造を模式的に示す図１（ｂ）に対応させた一部破断概略分解斜視図である。
【図３】（ａ）は、同下端ガイド装置を設けた引戸構造の一例を模式的に示す一部破断概略正面図、（ｂ）は、（ａ）におけるＹ２−Ｙ２線矢視に対応させた一部破断概略横断面図である。
【発明を実施するための形態】
【００１０】
以下に本発明の実施の形態について、図面に基づいて説明する。
図１〜図３は、本実施形態に係る下端ガイド装置の一例を模式的に示す図である。
なお、一部の図では、他図に付している詳細な符号の一部を省略している。
また、以下の実施形態では、図３（ｂ）に示すＶ方向から引戸に対面した状態を基準として、手前側を前方、逆側を後方として、その方向等を原則的に説明する。
【００１１】
本実施形態に係る下端ガイド装置１は、図１及び図３に示すように、戸幅方向に沿ってスライド自在に吊り下げ支持された引戸３０の下端側をガイドする。また、本実施形態では、この下端ガイド装置１と、引戸３０と、住居等の建物の内壁４に設けられた開口部５に配設され、引戸３０が建て付けられる戸枠２と、を備えた引戸装置３を例示している。また、本実施形態では、図３に示すように、引戸３０が納められる（引き込まれる）壁として、袖壁６を設けた引戸構造を示しており、一枚の引戸３０を袖壁納めで施工した引戸構造を例示している。
【００１２】
開口部５は、図３に示すように、正面視して略矩形状とされており、その上側が、横桟やまぐさ等の横架材または該横架材の下面側に固定された飼木（スペーサー材）等からなる上枠下地によって区画されている。また、開口部５は、その開口幅（戸幅）方向両側が、間柱等の柱材または該柱材の開口幅方向内側に固定された飼木（スペーサー材）等からなる左右両側の縦枠下地によって区画されている。また、開口部５は、その下側が、床材または床下地によって区画されている。なお、図例では、開口部５の下側を、床面８によって区画した例を示している。
【００１３】
戸枠２は、図３に示すように、上枠２０と、この上枠２０の長手方向両側に配設される両側の縦枠２１，２２と、これら縦枠２１，２２間に配設される縦枠部材としての中方立２３と、を備えている。
上枠２０は、開口部５の開口幅方向に沿って長尺の帯板状とされている。この上枠２０は、本実施形態では、長手方向一方側略半部の出入開口７側部位の見込み寸法（前後方向に沿う寸法、壁厚方向に沿う寸法）よりも、長手方向他方側略半部の袖壁６側部位の見込み寸法が袖壁６に応じて小さく形成されている。
【００１４】
また、この上枠２０には、引戸３０をスライド自在に吊り下げ支持する上レールが設けられている。このような上レールとしては、上板部及び両側板部によって縦断面形状が、下方に向けて開口する略コ字状（略Ｕ字状または略Ｃ字状）とされたものとしてもよい。また、両側板部の下端縁部に、互いに向き合う方向に突出する案内片がそれぞれに設けられたものとしてもよい。また、これら両案内片によって、引戸３０のランナー部材３１（図３（ａ）参照）のローラー等を当該上レールの長手方向に沿って転動自在に支持することで、当該上レールに対して引戸３０をスライド自在に吊下支持するものとしてもよい。
【００１５】
両側の縦枠２１，２２は、図３に示すように、本実施形態では、引戸３０の戸先側に配設される戸先側縦枠２１と、引戸３０の戸尻側に配設される戸尻側縦枠２２と、からなる。これら両側の縦枠２１，２２は、開口部５の開口高に応じた長さ寸法とされ、帯板状とされている。また、本実施形態では、戸尻側縦枠２２の見込み寸法を、袖壁６に応じて戸先側縦枠２１の見込み寸法よりも小さく形成している。また、これら両側の縦枠２１，２２の互いに向き合う各内側面には、互いに向き合う方向に開口し、引戸３０の戸幅方向端部を受け入れる戸じゃくり溝が長手方向に沿って設けられている。これら両側の縦枠２１，２２の各戸じゃくり溝は、上枠２０の上レールの見込み方向位置に応じた位置となるように設けられている。
これら両側の縦枠２１，２２と上枠２０とは、例えば、上枠２０の長手方向の各端面に、各縦枠２１，２２の上端部内側面を当接させ、各縦枠２１，２２の外側面側からねじや釘等の止具を上枠２０に捩じ込む（または打ち込む）ことで枠組みするようにしてもよい。
【００１６】
中方立２３は、開口部５の開口高に応じた長さ寸法とされ、帯板状とされている。また、中方立２３は、袖壁６に応じた見込み寸法とされており、その見込み寸法が袖壁６の壁厚よりも大きく形成されている。
また、この中方立２３の見込み方向引戸対面側端部（前端部）には、引戸３０の袖壁対面側面（後面）に摺るように接する隙間遮蔽部材（モヘア部材）２６が当該中方立２３の概ね全長に亘って設けられている（図１及び図２も参照）。この隙間遮蔽部材２６は、中方立２３の見込み方向引戸対面側端面（前端面）２４において開口するように凹溝状に形成された取付溝２５に嵌め込まれるように取り付けられている。
【００１７】
また、この中方立２３は、その前端部が当該中方立２３の戸尻側に設けられた袖壁６の引戸納め側面（前面）よりも前方側に突出するように配設される。また、図例では、この中方立２３の袖壁側（戸尻側）側面２７に、袖壁６を構成する引戸納め側（前側）の壁パネルの幅方向一端部を受け入れる凹溝２８を当該中方立２３の全長に亘って設けた例を示している。
この中方立２３は、その上端部を上記した上枠２０の出入開口７側部位と袖壁６側部位との境界部位に係合させ、該上端部が上枠２０に上記同様の止具によって固定される。また、中方立２３の下端部は、床材や床下地等に上記同様の止具によって固定するようにしてもよい。
【００１８】
また、この中方立２３の戸尻側に設けられた袖壁６は、開口部５の戸尻側の内側面から戸先側に向けて延びるように設けられた袖壁下地の引戸納め側面（前面）及び反引戸納め側面（後面）のそれぞれに壁パネルを固定した構造とされている。
これら上枠２０、両側の縦枠２１，２２及び中方立２３並びに袖壁６を施工した状態では、袖壁６の手前側に引戸３０のスライドスペースが形成され、中方立２３の戸先側に引戸３０によって開閉される出入開口７が形成される。
なお、図３（ａ）では、上枠２０の上側に垂れ壁を設けた例を示しているが、上枠２０を天井に沿わせるように設けたり、天井に埋め込むように設けたりしてもよい。また、上枠２０に上レールを設けた態様に代えて、上レール自体を直接的に上記したような上枠下地等に固定する態様としてもよい。
【００１９】
引戸３０は、上記構成とされた戸枠２に、戸幅方向に沿ってスライド自在に建て付けられる。
この引戸３０の上端部には、図３（ａ）に示すように、上記した上レールに支持されるランナー部材３１が連結固定されている。図例では、引戸３０の上端部の戸幅方向両側端部のそれぞれにランナー部材３１，３１を設けた例を示している。このようなランナー部材３１，３１としては、水平軸廻りに回転し、上レールの両案内片上を転動するローラーを備えたものとしてもよい。
【００２０】
また、引戸３０の下端部には、図１（ａ）及び図３（ａ）に示すように、下向きに開口するガイド溝３４が戸幅方向に沿って設けられている。このガイド溝３４は、引戸３０の下端面において開口するように引戸３０の戸幅方向の全幅に亘って設けられている。また、図例では、縦断面下向き開口形状のレール状部材３３を、引戸３０の下端面に設けた凹溝３２に嵌め込み、ガイド溝３４を構成した例を示しているが、このような態様に代えて、引戸３０の下端部に直接的にガイド溝３４を設けた態様としてもよい。
また、この引戸３０は、図３（ｂ）に示すように、出入開口７を閉鎖した状態（全閉状態）で、その戸尻側端部が中方立２３と前後方向に重合し、出入開口７を開放した状態（全開状態）で、その戸先側端部が中方立２３と前後方向に重合する構成とされている。
なお、図３（ａ）において、符号３５は、引戸３０の引手（取手）である。
【００２１】
本実施形態に係る下端ガイド装置１は、図１及び図２に示すように、上記した縦枠部材としての中方立２３の前端部の下端部に固定される固定部１３と、引戸３０のガイド溝３４に挿入されるガイド部１１と、を備えている。固定部１３は、中方立２３側に向けて開口するように形成され、中方立２３の前端部に嵌め合わされる嵌合部１５と、嵌合部１５の下端から反中方立２３側（前方側）に向けて突出するように形成され、ガイド部１１を支持する支持部１４と、を備えている。本実施形態では、固定部１３を、ガイド部１１を備えたガイド部材１０と別体とした固定部材１３とし、支持部１４を、略水平板状の支持板状部１４としている。
【００２２】
固定部材１３の嵌合部１５は、中方立２３の前端面２４に沿うように配設される端面部１６と、中方立２３の戸幅方向（見付方向）両側面２７，２９に沿うようにそれぞれ配設される両側面部１８，１９と、を備えている。嵌合部１５は、これら端面部１６及び両側面部１８，１９によって中方立２３側に向けて開口する横断面略コ字状（略Ｕ字状または略Ｃ字状）とされており、これらによって嵌合凹所を区画した構成とされている。これら端面部１６及び両側面部１８，１９は、それぞれに略同厚の薄板状とされ、一体的に形成されている。また、図例では、これら端面部１６及び両側面部１８，１９の上下寸法を略同寸法としている。なお、これら端面部１６及び両側面部１８，１９の厚さ寸法や上下寸法は、当該固定部材１３の固定態様に応じて、また、固定強度や見栄え上の観点等から適宜、設定するようにしてもよい。例えば、厚さ寸法を、１ｍｍ〜４ｍｍ程度、上下寸法を、２０ｍｍ〜５０ｍｍ程度としてもよい。
【００２３】
嵌合部１５の端面部１６は、その戸幅方向に沿う寸法が、中方立２３の見付寸法（厚さ寸法）に応じた寸法とされており、中方立２３の見付寸法と略同寸法とされている。つまりは、この端面部１６の幅方向（戸幅方向と同方向）両側の両側面部１８，１９間の戸幅方向に沿う寸法が、中方立２３の見付寸法と略同寸法とされている。
また、本実施形態では、端面部１６に、中方立２３に設けられた隙間遮蔽部材２６を受け入れる縦溝状開口１７を設けている。この縦溝状開口１７は、当該端面部１６を厚さ方向に貫通し、上方に向けて開口した構成とされている。また、本実施形態では、この縦溝状開口１７を、端面部１６の上下の全長に亘って設けており、支持板状部１４の後端部に至るように設けている。
また、この縦溝状開口１７の戸幅方向に沿う寸法は、中方立２３の前端面２４から前方に向けて突出する隙間遮蔽部材２６の挿通が可能な寸法とされている。図例では、縦溝状開口１７の戸幅方向に沿う寸法を、中方立２３の取付溝２５の溝幅寸法と略同寸法とした例を示している。
【００２４】
嵌合部１５の両側面部１８，１９は、端面部１６の幅方向両側縁部からそれぞれに後方側に向けて突出するように形成されている。一方の側面部１８が中方立２３の袖壁側側面２７に沿うように配設される袖壁側側面部１８とされ、他方の側面部１９が中方立２３の出入開口側側面２９に沿うように配設される出入開口側側面部１９とされている。
また、本実施形態では、図１（ｂ）に示すように、出入開口側側面部１９を、袖壁側側面部１８よりも見込み方向に沿って幅広に形成している。
袖壁側側面部１８の見込み方向に沿う寸法は、中方立２３の前端面２４から袖壁６の引戸納め側面（前面）までの前後寸法に応じた寸法とされている。図例では、袖壁側側面部１８の見込み方向に沿う寸法を、当該固定部材１３を中方立２３に固定した状態で、袖壁側側面部１８の後端面が袖壁６の前面に当接または近接対面するような寸法としている。
【００２５】
出入開口側側面部１９の見込み方向に沿う寸法は、袖壁側側面部１８の見込み方向に沿う寸法よりも大きく形成されている。この出入開口側側面部１９の見込み方向に沿う寸法は、当該固定部材１３の固定態様に応じて、また、固定強度や見栄え上の観点等から適宜、設定するようにしてもよく、例えば、１５ｍｍ〜４０ｍｍ程度としてもよい。
また、本実施形態では、この出入開口側側面部１９に、当該固定部材１３を中方立２３に固定するための止具の止具孔１９ａを、当該出入開口側側面部１９を厚さ方向に貫通させて設けている。
【００２６】
また、本実施形態では、複数（図例では、２つ）の止具孔１９ａ，１９ａを上下に間隔を空けて出入開口側側面部１９に設けている。また、本実施形態では、これら止具孔１９ａ，１９ａを、止具が挿通され、止具の頭部を受け入れる皿ざぐり状とした例を示している。なお、出入開口側側面部１９に、複数の止具孔１９ａ，１９ａを設けずに、単一の止具孔１９ａを設けた態様としてもよい。このような構成としても、固定部材１３の支持板状部１４が床面８に当接され、嵌合部１５が中方立２３の前端部に嵌め合わされるので、当該固定部材１３の中方立２３に対する位置ずれ等を抑制することはできる。
【００２７】
支持板状部１４は、嵌合部１５の端面部１６の下端から前方に向けて突出するように形成されている。また、この支持板状部１４は、薄板状とされており、その厚さ方向を上下方向に沿わせ、その下面が床面８に当接される。図例では、嵌合部１５の端面部１６の下端部を、両側面部１８，１９の下端よりも下方側に僅かに延出させ、その延出部位に支持板状部１４を一連に設けた例を示している。
また、本実施形態では、この支持板状部１４に、厚さ方向に沿う雌ねじ部１４ａを設けている。図例では、この雌ねじ部１４ａを、支持板状部１４を厚さ方向に貫通する雌ねじ孔としている。
また、本実施形態では、支持板状部１４に、複数（図例では、２つ）の雌ねじ部１４ａ，１４ａを設けている。図例では、２つの雌ねじ部１４ａ，１４ａを、互いに前後方向及び戸幅方向に沿う方向に間隔を空けて斜め配置状に設けた例を示している。なお、支持板状部１４の雌ねじ部１４ａは、支持板状部１４を厚さ方向に貫通した雌ねじ孔に限られず、厚さ方向に貫通させずに、上向きに開口した雌ねじ穴としてもよい。
【００２８】
この支持板状部１４の前後寸法及び戸幅方向に沿う寸法は、後記するガイド部材１０に応じた寸法としてもよい。この支持板状部１４の前後寸法は、当該固定部材１３が固定され、引戸３０が施工された状態で、好ましくは、引戸３０の反袖壁対面側面（前面）から突出しないような寸法としてもよい。また、この支持板状部１４の戸幅方向に沿う寸法は、中方立２３の見付寸法に応じた寸法としもよく、図例では、中方立２３の見付寸法と略同寸法とした例を示している。
なお、この支持板状部１４の厚さ寸法は、上記した嵌合部１５を構成する各面部１６，１８，１９と略同厚としてもよく、または、これらよりも小さい寸法としてもよい。また、当該固定部材１３は、金属系材料や硬質の合成樹脂系材料から形成されたものとしてもよく、例えば、鋼板に折り曲げや打ち抜き加工等を施して形成されたものとしてもよい。
【００２９】
ガイド部材１０は、ガイド部１１と、このガイド部１１の下端に設けられた平板状部１２と、を備えている。
ガイド部１１は、引戸３０のガイド溝３４に挿入され、戸幅方向に沿ってスライドされる引戸３０の下端側をガイドし、その戸厚方向への振れを抑制する。
また、本実施形態では、ガイド部１１を、軸方向を上下方向に沿わせた略円柱形状（ピン状）としている。このガイド部１１は、図１に示すように、その戸厚方向に沿う寸法（本実施形態では、径寸法）及び上下寸法が、引戸３０のガイド溝３４に挿入可能な寸法とされている。図例では、このガイド部１１の戸厚方向に沿う寸法を、引戸３０のガイド溝３４の溝幅寸法よりも僅かに小さい寸法とした例を示している。また、このガイド部１１の上下寸法は、引戸３０のガイド溝３４の下方に向く溝底面に干渉しないよう適宜、設定するようにしてもよい。
【００３０】
平板状部１２は、固定部材１３の支持板状部１４上に載置されて固定される。また、この平板状部１２には、支持板状部１４の雌ねじ部１４ａに応じたねじ挿通孔１２ａが設けられている。本実施形態では、支持板状部１４に設けられた複数の雌ねじ部１４ａ，１４ａに対応させて複数のねじ挿通孔１２ａ，１２ａを平板状部１２に厚さ方向に貫通させて設けている。これらねじ挿通孔１２ａ，１２ａは、平板状部１２を支持板状部１４上に載置した状態で、支持板状部１４の各雌ねじ部１４ａ，１４ａと平面視して一致する位置となるように平板状部１２に設けられている。また、本実施形態では、図１（ｂ）に示すように、平板状部１２の平面視における概ね中心に、ガイド部１１を設け、このガイド部１１を挟むように、これらねじ挿通孔１２ａ，１２ａを斜め配置状に設けている。
【００３１】
また、本実施形態では、この平板状部１２のねじ挿通孔１２ａ，１２ａを、見込み方向（前後方向）に沿って長径としている。これらねじ挿通孔１２ａ，１２ａの短径は、ねじの挿通可能な寸法とすればよい。また、これらねじ挿通孔１２ａ，１２ａの長径は、支持板状部１４に対して平板状部１２を前後方向に数ｍｍ（例えば、１ｍｍ〜５ｍｍ）程度、位置調整可能なように適宜、設定するようにしてもよい。また、図例では、これらねじ挿通孔１２ａ，１２ａを、ねじの頭部を受け入れる皿ざぐり状とした例を示している。なお、支持板状部１４に複数の雌ねじ部１４ａ，ｌ４ａを設け、平板状部１２に複数のねじ挿通孔１２ａ，１２ａを設けた態様に代えて、支持板状部１４に単一の雌ねじ部１４ａを設け、平板状部１２に単一のねじ挿通孔１２ａを設けた態様としてもよい。このような構成としても、平板状部１２がねじ結合で支持板状部１４に固定されるので、支持板状部１４に対する平板状部１２の位置ずれ等を抑制することはできる。
【００３２】
また、この平板状部１２の前後寸法及び戸幅方向に沿う寸法は、支持板状部１４に応じた寸法とされている。図例では、この平板状部１２の前後寸法及び戸幅方向に沿う寸法を、支持板状部１４の前後寸法及び戸幅方向に沿う寸法よりも僅かに小さい寸法とした例を示している。なお、この平板状部１２の厚さ寸法は、上記した固定部材１３の各部と略同厚としてもよく、または、これらよりも小さい寸法としてもよい。
【００３３】
また、本実施形態では、図１（ｂ）及び図２に示すように、平板状部１２の上面に、ガイド部１１の戸厚方向に沿う方向の中心（本実施形態では、軸心）を示すセンターガイド１２ｂを設けている。図例では、平板状部１２の幅方向（戸幅方向と同方向）両側縁からそれぞれガイド部１１に向けて延びるように線状（または溝状）のセンターガイド１２ｂ，１２ｂを設けた例を示している。このようなセンターガイド１２ｂ，１２ｂを設けることで、後記するように、ガイド部１１が引戸３０のガイド溝３４の溝幅（戸厚）方向中心に位置するようにガイド部材１０を固定する際における位置決めを容易に行うことができる。
【００３４】
なお、当該ガイド部材１０は、金属系材料や硬質の合成樹脂系材料から形成されたものとしてもよい。また、当該ガイド部材１０は、ガイド部１１と平板状部１２とが一体的に形成されたものとしてもよく、または、別体とされたガイド部１１と平板状部１２とを接合して一体化されたものとしてもよい。
【００３５】
上記構成とされた下端ガイド装置１は、例えば、以下のようにして設置するようにしてもよい。
まず、固定部材１３を、中方立２３の前端側の下端部に固定する。この際、固定部材１３の支持板状部１４を床面８に沿わせ、嵌合部１５を中方立２３の前端部に嵌め合わせて固定するようにしてもよい。また、出入開口側側面部１９に設けられた止具孔１９ａ，１９ａを介してねじや釘等の止具を中方立２３に捩じ込み（または打ち込み）、当該固定部材１３を中方立２３に固定するようにしてもよい。
【００３６】
次いで、ガイド部材１０の平板状部１２を固定部材１３の支持板状部１４上に載置し、平板状部１２のねじ挿通孔１２ａ，１２ａのそれぞれに挿通させたねじを支持板状部１４の各雌ねじ部１４ａ，１４ａに捩じ込み、固定するようにしてもよい。この際、当該ガイド部材１０のガイド部１１を引戸３０のガイド溝３４の溝幅方向中心に位置させるように、固定部材１３の水平板状部１４に対するガイド部材１０の固定位置をねじ挿通孔１２ａ，１２ａの長径方向に沿って調整するようにしてもよい。また、この際、例えば、下げ振りや墨出し等によって上記した上レールの見込み方向（前後方向）に沿う方向の中心の直下位置の床面８や支持板状部１４にマーキングを行い、このマーキングにガイド部材１０の平板状部１２のセンターガイド１２ｂを合わせて固定するようにしてもよい。
【００３７】
本実施形態に係る下端ガイド装置１は、上述のような構成としたことで、床側に固定し難いような場合にも、強固かつ安定的に固定可能で、かつ固定する際における作業性を向上させることができる。
つまり、下端ガイド装置１は、縦枠部材（中方立）２３の見込み方向引戸対面側端部の下端部に固定される固定部（固定部材）１３を備えている。従って、床が、コンクリート仕上げやタイル仕上げ、カーペット仕上げとされていたり、コンクリート下地上に薄床材を貼着したような構造とされ、床側への固定がし難いような場合にも、当該下端ガイド装置１を中方立２３に対して強固かつ安定的に固定することができる。
【００３８】
また、固定部材１３に、中方立２３側に向けて開口するように形成され、中方立２３の引戸対面側端部に嵌め合わされる嵌合部１５と、この嵌合部１５の下端から反中方立２３側に向けて突出するように形成され、ガイド部１１を支持する支持部１４と、を設けている。従って、固定部材１３の嵌合部１５を中方立２３の引戸対面側端部に嵌め合わせ、支持部１４を床面８に当接させることで、固定部材１３の戸幅方向及び上下方向に沿う位置決めを容易に行うことができ、固定部材１３を中方立２３に固定する際における作業性を向上させることができる。
【００３９】
また、本実施形態では、固定部材１３の嵌合部１５の端面部１６に、中方立２３に設けられた隙間遮蔽部材２６を受け入れる縦溝状開口１７を設けている。従って、嵌合部１５の端面部１６に干渉しないように、隙間遮蔽部材２６の下端側を短くしたりする必要性が低減され、隙間遮蔽部材２６を中方立２３の下端近傍部位に至るまで設けることができ、隙間遮蔽性を向上させることができる。
【００４０】
また、本実施形態では、固定部材１３の嵌合部１５の両側面部１８，１９のうちの出入開口側側面部１９を幅広とし、この出入開口側側面部１９に止具孔１９ａを設けている。従って、固定部材１３を、出入開口側側面部１９の止具孔１９ａを介して止具によって中方立２３に固定することができる。また、例えば、止具孔を嵌合部１５の端面部１６に設けた場合には、引戸３０の中方立２３側に向く面に、止具が干渉するようなことも考えられるが、このようなことを抑制することもできる。また、例えば、引戸３０を戸袋納めとし、戸袋口を形成する一対の中方立の一方に当該下端ガイド装置１を固定する場合に、両中方立を含む戸袋を形成する両側の袖壁を施工した後にも固定部材１３を容易に固定することができる。
【００４１】
また、本実施形態では、固定部材１３の支持部１４を、その厚さ方向に雌ねじ部１４ａを設けた略水平板状の支持板状部１４とし、ガイド部１１の下端に、支持板状部１４の雌ねじ部１４ａに応じたねじ挿通孔１２ａが設けられた平板状部１２を設けた構造としている。つまり、固定部材１３と、ガイド部１１及び平板状部１２からなるガイド部材１０と、を備えた下端ガイド装置１としている。従って、支持板状部１４を有した固定部材１３を中方立２３に固定した後に、ガイド部１１の下端の平板状部１２を支持板状部１４上に載置してねじによって固定することができる。
また、中方立２３に固定される当該下端ガイド装置１のガイド部材１０と、床に固定される他のガイド部材と、を共通部品とすることもできる。つまりは、ガイド部材１０の平板状部１２に設けられたねじ挿通孔１２ａを介してねじによって当該ガイド部材１０を床に固定することも可能となる。
【００４２】
また、本実施形態では、ガイド部材１０の平板状部１２のねじ挿通孔１２ａを、見込み方向に沿って長径としている。従って、固定部材１３の支持板状部１４に対するガイド部材１０の平板状部１２の固定位置を、見込み方向に沿って調整することができる。これにより、吊り下げ支持される引戸３０の下端部のガイド溝３４の溝幅方向中心に、ガイド部１１が位置するように調整することができ、当該下端ガイド装置１によって引戸３０の下端をスムーズにガイドすることができる。
【００４３】
なお、本実施形態では、一枚の引戸３０を袖壁納めとした引戸構造に、下端ガイド装置１を設けた例を示しているが、このような態様に限られない。例えば、複数枚の引戸３０を納める袖壁６を設けた引戸構造に、当該下端ガイド装置１を設けるようにしてもよい。この場合は、固定部材１３の支持板状部１４やガイド部材１０の平板状部１２の前後寸法を大きくし、引戸３０の枚数等に応じたガイド部１１をガイド部材１０に設けるようにしてもよい。
または、複数枚の引戸３０を引き分け状に納める袖壁６を開口部５の両側のそれぞれに設けた引戸構造に、下端ガイド装置１を設けるようにしてもよい。この場合は、両側の袖壁６の中方立２３のそれぞれに下端ガイド装置１を固定するようにしてもよい。
【００４４】
さらには、一枚若しくは複数枚の引戸３０を戸袋納めとした引戸構造に、下端ガイド装置１を設けるようにしてもよい。この場合は、戸袋口を形成する見込み方向両側の中方立２３のうちの一方に、下端ガイド装置１を固定するようにしてもよい。
また、このような袖壁納めや戸袋納めの引戸構造に代えて、建物の内壁４に沿って一枚若しくは複数枚の引戸３０を納める、いわゆるアウトセット納めの引戸構造に、下端ガイド装置１を設けた態様としてもよい。この場合は、中方立ではなく、戸幅方向両側のそれぞれの内壁４の出入開口側に設けられる縦枠を、縦枠部材として把握し、これらの両方または一方に下端ガイド装置１を固定するようにしてもよい。
また、本実施形態では、下端ガイド装置１が固定される縦枠部材（中方立）２３を固定枠状とされたものとした例を示しているが、縦枠部材２３を、ケーシング額縁を備えたケーシング枠状とされたものとしてもよい。
【００４５】
また、本実施形態では、ガイド部材１０の平板状部１２のねじ挿通孔１２ａを、見込み方向に沿って長径とした例を示しているが、丸孔状のねじ挿通孔１２ａとしてもよい。この場合は、例えば、固定部材１３の止具孔１９ａを、見込み方向に沿って長径としてもよい。このような構成とした場合にも、引戸３０の下端部のガイド溝３４の溝幅方向中心にガイド部１１が位置するように調整することができる。また、このような構成とした場合にも、固定部材１３の戸幅方向及び上下方向に沿う位置決めは容易に行うことができる。
また、本実施形態では、固定部材１３の支持板状部１４に雌ねじ部１４ａを設け、ガイド部材１０の平板状部１２にねじ挿通孔１２ａを設けた例を示しているが、これら雌ねじ部及びねじ挿通孔を逆側にそれぞれ設けるようにしてもよい。
【００４６】
また、本実施形態では、縦枠部材（中方立）２３に固定される固定部材１３と、引戸３０の下端側をガイドするガイド部１１とを別体とした例を示しているが、ガイド部１１を固定部材１３の支持板状部１４に一体的に設けたような態様としてもよい。
また、本実施形態では、ガイド部１１を、ピン状のものとした例を示しているが、このような態様に限られない。例えば、ガイド部１１を、戸厚方向に厚さ方向を沿わせ、戸幅方向に延びるように形成された平板状とされたものとしてもよい。また、ガイド部１１に、引戸３０のガイド溝３４の溝幅方向両側の内壁の両方または一方に当接して転動するローラー等を設けるようにしてもよい。
【００４７】
また、本実施形態では、固定部材１３の嵌合部１５の出入開口側側面部１９を袖壁側側面部１８よりも見込み方向に沿って幅広とし、この出入開口側側面部１９に、止具孔１９ａを設けた例を示しているが、このような態様に限られない。例えば、出入開口側側面部１９に止具孔１９ａを設けた態様に代えて、または加えて、嵌合部１５の端面部１６や袖壁側側面部１８に止具孔を設けた態様としてもよい。また、これら袖壁側側面部１８及び出入開口側側面部１９の見込み方向に沿う寸法を略同寸法としてもよい。
また、本実施形態では、固定部材１３の嵌合部１５の端面部１６に、中方立２３に設けられた隙間遮蔽部材２６を受け入れる縦溝状開口１７を設けた例を示しているが、このような縦溝状開口１７を設けないようにしてもよい。この場合は、隙間遮蔽部材２６が端面部１６に干渉しないように適宜、調整するようにしてもよい。
【符号の説明】
【００４８】
１        下端ガイド装置
６        袖壁（壁）
７        出入開口
１１      ガイド部
１２      平板状部
１２ａ    ねじ挿通孔
１３      固定部材（固定部）
１４      支持板状部（支持部）
１４ａ    雌ねじ部
１５      嵌合部
１６      端面部
１７      縦溝状開口
１８      袖壁側側面部
１９      出入開口側側面部
１９ａ    止具孔
２３      中方立（縦枠部材）
２４      前端面（見込み方向引戸対面側端面）
２６      隙間遮蔽部材
２７      袖壁側側面（戸幅方向側面）
２９      出入開口側側面（戸幅方向側面）
３０      引戸
３４      ガイド溝
【図１】
2014077240.tif 000003
【図２】
2014077240.tif 000004
【図３】
2014077240.tif 000005